(57)【特許請求の範囲】
【請求項１】
基端に把持部を有する柄の先端に平板状の叩き面からなる叩き部を有し、前記把持部の表面もしくは裏面または前記柄の表面もしくは裏面が前記叩き部の叩き面と同一平面上またはそれよりも外側に位置するように形成され、磁石がその吸着面を前記表面または前記裏面から外側に突出させて固着されてなる蝿叩きであって、前記磁石の吸着面を、前記蠅叩きを保管する磁性体からなる平面状の設置面に吸着させた際に、前記設置面と前記叩き面との間に隙間が形成される蠅叩きであり、前記表面または前記裏面には有底である取付穴または貫通する取付孔が形成され、有底で筒形を呈する保持部材が前記取付穴または前記取付孔に挿入されて固着されており、前記保持部材にはその内側に前記磁石が固着される取付凹部が形成されるとともに、その外周面に前記取付穴または前記取付孔よりも大径で前記表面または前記裏面と接するフランジを有することを特徴とする蠅叩き。
【請求項２】
前記保持部材が樹脂製であって、前記外周面に前記取付穴または前記取付孔に押圧嵌装される環状溝が形成されていることを特徴とする請求項１記載の蠅叩き。
【発明の詳細な説明】
【技術分野】
【０００１】
本発明は、蠅や蚊等の害虫を駆除するために用いられる蠅叩きに関する。
【背景技術】
【０００２】
従来、家屋内に出没する蠅や蚊等の害虫を駆除するための道具として、蠅叩きが良く知られている。
【０００３】
図９は従来から一般に用いられている蠅叩きを示すものであり、この蠅叩き１ａは長尺の柄２ａの先端に平板状の叩き面３１ａを形成した叩き部３ａを有するとともに柄２ａの基端に把持部４ａを形成しており、使用者は把持部４ａを手に取って先端の叩き部を害虫に向かって振り下ろすことで害虫を叩いて駆除するものである。
【０００４】
そして、前記従来の蠅叩き１ａは、使用しないときは把持部４ａに形成した環状の孔部５ａを壁などの設置面に取り付けられたフックに挿入、掛止して設置するようになっている（図示せず）が、フックに掛け止められた蠅叩き１ａは取付ならびに取り外しの際に前後左右に揺動し、害虫を潰した叩き面３１ａが設置面に接触することで設置面を汚してしまうという心配があった。
【０００５】
特に、叩き面３１ａは振り降ろし時の風圧によって害虫を吹き飛ばしてしまうことを避けるため網状に構成されることが一般的であり、害虫の死骸や体液が網目の隙間に付着すると除去することが困難なため、叩き面３１ａは非常に不衛生であるという問題があった。
【０００６】
そこで、設置時における設置面の汚れを防止するようにした発明が例えば特許文献１に記載されている。
【０００７】
ところが、前記特許文献１に記載された発明は、図１０に示すように前記図９に示した従来の蠅叩き１ａに、設置状態で脱落しないようなカバー６ａを設けたものであるが、このようにカバー６ａを付した蠅叩き１ａにおいては、害虫を発見した際に設置面に取り付けられたフックに掛止された蠅叩き１ａを手に取り、その後カバー６ａを手元まで手繰り寄せた状態で把持部４ａとカバー６ａを同時に握って使用するか、あるいはカバー６ａが振り降ろし時に風圧を生じる状態で使用しなければならないものであり、操作が煩雑であるばかりかカバー６ａ内部に汚れが蓄積する恐れもあり衛生的であるとは言い難い。
【先行技術文献】
【特許文献】
【０００８】
【特許文献１】実用新案登録第３１７９８３７号公報
【発明の概要】
【発明が解決しようとする課題】
【０００９】
本発明は簡易かつ安価で、設置面への設置や取り出しが簡単且つ確実であり、特に、設置時において蠅を駆除した際に蠅の死骸や体液などが付着した不衛生な叩き部が設置面に触れてしまうことのない衛生面で優れた蠅叩きを提供することを課題とする。
【課題を解決するための手段】
【００１０】
前記課題を解決するためになされた本発明は、基端に把持部を有する柄の先端に平板状の叩き面からなる叩き部を有し、前記叩き部の叩き面と同一平面上またはそれよりも外側に位置するように形成された形成された前記把持部または前記柄の表面または裏面に、磁石がその吸着面を前記表面または前記裏面から外側に突出させて固着されており、前記磁石の吸着面を、前記蠅叩きを保管する磁性体からなる平面状の設置面に吸着させた際に、前記設置面と前記叩き面との間に隙間が形成されることを特徴とする。
【００１１】
また、前記発明において、前記磁石が前記表面または前記裏面に形成された取付穴または取付孔に挿入して固着される、有底で筒形を呈し、その内側に前記磁石が固着される取付凹部が形成されるとともに、その外周面に前記取付穴または前記取付孔よりも大径で前記表面または前記裏面と接するフランジを有する保持部材に固着されている場合には簡単な工程で安価に実施が可能であるとともに、フランジが前記表面または前記裏面から磁石の突出した部分を被覆するので把持部を掴んだときに突出した磁石が手に引っ掛かることがないとともに外観も美麗となり商品価値を高めることができる。
【００１２】
更に、前記保持部材が樹脂製であって、前記外周面に前記取付穴または前記取付孔に押圧嵌装される環状溝が形成されている場合には、例えば把持部が中空の場合などを含めて磁石を確実に前記表面または前記裏面に固着することができる。
【発明の効果】
【００１３】
本発明の蠅叩きによれば、例えば蠅が出没しやすい食堂やキッチンなどに設置してある冷蔵庫の筐体壁面のような磁性体からなる略平面状の設置面にワンタッチで設置可能であり、蠅などを発見した際にワンタッチで即座に取り外してそのまま使用することができ、特に、保管時に設置面に取り付けている使用により汚染した叩き面が設置面に触れることがないので衛生的である。
【図面の簡単な説明】
【００１４】
【図１】本発明の好ましい実施の形態を示す分解斜視図。
【図２】図１に示した実施の形態を示すものであり、（ａ）は正面図、（ｂ）は側面図、（ｃ）は一部を省略した拡大断面図、（ｄ）は（ｃ）に示した蠅叩き１Ａを設置面に固着させた状態を示す一部を省略した拡大断面図。
【図３】（ａ）は図１に示した実施の形態の蠅叩きについての異なる設置面について使用した状態を示す拡大断面図であり、（ａ）は固着前の状態を示し、（ｂ）は固着した状態を示す。
【図４】（ａ）は本発明の異なる設置手段を用いた実施の形態の部分拡大断面図、（ｂ）は使用状態を示す部分拡大断面図。
【図５】本発明の更に異なる実施の形態を示す分解斜視図。
【図６】（ａ）は図５に示した実施の形態の一部を省略した拡大断面図、（ｂ）は使用状態を示す一部を省略した拡大断面図。
【図７】磁石の固着手段が異なる本発明の実施の形態を示すものであり、（ａ）は一部を省略した拡大側面図、（ｂ）は使用状態を示す一部を省略した拡大断面図。
【図８】磁石の固着部分が異なる本発明の実施の形態を示すものであり、（ａ）は正面図、（ｂ）は側面図、（ｃ）は一部を省略した拡大断面図、（ｄ）は（ｃ）に示した蠅叩き１Ｅを設置面に固着させた状態を示す一部を省略した拡大断面図。
【図９】従来例を示す斜視図。
【図１０】異なる従来例を示す斜視図。
【発明を実施するための形態】
【００１５】
本発明の実施の形態を図面に基いて詳細に説明する。
【００１６】
図１は本発明の好ましい実施の形態を示すものであり、蠅叩き１Ａは全体の構成は前記図９に示した従来の蠅叩き１ａとほぼ同様に全体が適宜の弾性を有する硬質の合成樹脂材により一体的に形成されており、柄２の基端に所定の太さに形成された把持部３を有するとともに柄２の先端に網目構造の平板状を呈する叩き面４１を形成した叩き部４を有するものであり、従来品と同様に把持部３を握って振り下ろすことにより柄２の先端に設けた叩き面４１で蠅などの害虫を叩いて駆除するものである。
【００１７】
そして、前記図９に示した従来例では蠅叩き１ａを使用した後は把持部４ａにおける叩き面３１ａに沿う表面（または裏面）４１ａに形成した設置用の環状の孔部５ａを例えば壁に設置したフックなど（図示せず）に設置するものであったが、本実施の形態では、設置の手段として叩き部４の叩き面４１に沿う把持部３の表面（または裏面）３１に磁石５が固着されている。
【００１８】
更に、詳細に説明すると、本実施の形態は、把持部３が叩き部４よりも厚み（図１（ｂ）、（ｃ）における左右方向）が厚く形成されており、把持部３と叩き部４を連結する柄２は把持部３の厚みを上限に把持部３の端部から叩き部４方向へ向けて厚みが薄くなるよう形成されており、前記磁石５を固着した把持部３の表面（または裏面）３１が前記叩き部４の叩き面４１および柄２の表面（または裏面）２１よりも外側に位置するように形成されている。
【００１９】
また、前記磁石５は特に特殊なものでなく例えば周知の磁性合金により形成された円形の底面または頂面を吸着面５１とした全体が円柱状の一般に用いられている永久磁石であり、把持部３の表面（または裏面）３１に形成された円柱状で有底の取付穴３２に嵌挿されて、更に、必要なら接着剤（図示せず）を用いて固着されている。
【００２０】
このように形成される本実施の形態を使用後に保管するには、図１（ｄ）に示すように、把持部３に形成された表面（または裏面）３１に沿って固着されている磁石５の吸着面５１を例えば冷蔵庫の筐体壁面６のような磁性体からなる略平面状の設置面６１にワンタッチで設置可能であり、蠅などを発見した際にワンタッチで即座に取り外してそのまま使用することができ、特に、保管時に設置面６１に取り付けている際に、使用により汚染した叩き面４１は設置面６１との間に隙間Ｄ１が形成されることから触れることがないので衛生的である。
【００２１】
尚、設置面６１として例えば冷蔵庫の筐体壁面６のような磁性体を用いた場合を示したが、設置面が例えば木材や石膏ボード、コンクリートなどの壁面や家具などのように非磁性体の場合には、例えば図３に示したように、表面を金属などの磁性体により形成した板状の設置部材７２を非磁性体により形成される壁７の設置面７１にテープまたはピン等で取り付けて図２に示したように磁性体により設置面６１とした場合と同様にして設置することができ、この場合は使用者における好みの場所を設置場所とできるため便利である。
【００２２】
また、図４は本発明の異なる実施の形態を示すものであり、蠅叩き１Ｂにおける全体の構成は前記図１乃至図３に示した実施の形態とほぼ同様であるが、把持部３に形成された表面（または裏面）３１に沿って固着されている磁石５が前記表面（または裏面）３１より突出されている点が異なる。
【００２３】
このように、本実施の形態は、磁石５の吸着面５１が把持部３の表面（または裏面）３１から突出した状態で固着されているので、蠅叩き１Ｂを保管する際に、設置面６１に吸着させた際に前記設置面６１と前記叩き面４１との間に形成される隙間Ｄ２が前記図１乃至図３に示した実施の形態に比べて広く形成されることにより更に叩き面４１が設置面６１に触れることがないばかりか使用時に把持部３が設置面６１から離れているので掴み易い。
【００２４】
図５は本発明の更に異なる実施の形態を示すものであり、この蠅叩き１Ｃは全体の構成は前記図９に示した従来の蠅叩き１ａとほぼ同様に全体が適宜の弾性を有する硬質の合成樹脂材により一体的に形成されたものであるが、磁石５を直接把持部３の表面（または裏面）３１に固着するものでなく、有底円筒状の取付凹部８１を備えた例えば樹脂製の保持部材８を介して固着する点が異なる。
【００２５】
特に、図６に示すように把持部３が中空に形成されている蠅叩きに適している。更に、詳細に説明すると、本実施の形態の蠅叩き１Ｃに用いられる保持部材８は、例えば適宜の弾性を有する合成樹脂製で開口端に前記把持部３に形成した取付孔３３よりも大径のフランジ８２を備えるとともに外周の周方向に把持部３の取付孔３３周辺の肉厚と同じ幅程度の取り付け用の環状溝８３を形成した筒状の取付凹部８１を備えている。
【００２６】
従って、本実施の形態では、取付凹部８１の外周に備えた環状溝８３を介して把持部３の表面（または裏面）３１に形成した取付孔３３に保持部材８を嵌挿、固着させておき、その保持部材８の取付凹部８１に磁石５を圧入させて、更に必要な場合には接着剤を介して磁石５を把持部３の表面（または裏面）３１に固着させるものであり、前記図１乃至図４に示した実施の形態と異なり、把持部３が中実でなく磁石５を固着し難い場合にも簡単に固着することが可能であり外観も美麗である。尚、本実施の形態では、保持部材８に環状溝８３を形成した場合を示したが、環状溝８３は必須のものでなく、また、保持部材８を押圧嵌挿する構成としたが、接着剤を用いて固着するものであってもよい。
【００２７】
図７は本発明を前記図１乃至図４に示した実施の形態と同様に中実の把持部３を有する蠅叩きについての別の実施の形態を示すものであり、蠅叩き１Ｄは全体の構成並びに設置時を含めての作用・効果は前記図４に示した実施の形態とほぼ同様であるが、前記図５および図６に示したような保持部材８を用いて磁石５を固着している点が特徴である。
【００２８】
詳細に説明すると、把持部３の表面（または裏面）３１に前記図１乃至図４に示したような所定の深さを有する有底の取付穴３２が形成されているとともに、前記取付穴３２に前記図５および図６に示したような開口端にフランジ８２を有する有底筒状の磁石５の保持部材８を挿入、必要であれば接着剤を介して固着し、その保持部材８の取付凹部８１に磁石５を嵌挿し、必要であれば接着剤を介して固着するものである。
【００２９】
本実施の形態によれば、例えば保持部材８を適宜の弾性を有する素材により形成することにより、保持部材８を把持部３に形成した取付穴３２に押圧嵌挿させることにより、更には保持部材８に磁石５を押圧嵌挿させることで接着剤を用いることなしに磁石５を把持部３の表面（または裏面）３１に固着することが可能で、製造が容易で安価な製品を提供することができるばかりか、保持部材８にフランジ８２を備えることにより、磁石５の吸着面５１を把持部３の表面（または裏面）３１から突出させた状態で固着できることは言うまでもなく、フランジ８２と磁石５の吸着面５１を面一にすることによりフランジ８２が把持部３の表面（または裏面）３１からの磁石５の突出した部分を被覆するので把持部３を掴んだときに突出した磁石５が手に引っ掛かることがないとともに外観も美麗となり商品価値を高めることができる。
【００３０】
図８は本発明の更にまた異なる実施の形態を示すものであり、前記図１乃至図４に示した実施の形態が把持部３に磁石５を固着したのに対して柄２の部分に固着した点が異なる。
【００３１】
更に詳細に説明すると、この蠅叩き１Ｅは全体の構成は前記図９に示した従来の蠅叩き１ａとほぼ同様に全体が適宜の弾性を有する硬質の合成樹脂材により一体的に形成されたものであるが、磁石５を柄２に固定した有底円筒状の取付凹部９１を備えた例えば樹脂製の保持部材９を介して固着されている。
【００３２】
本実施の形態によれば把持部３に磁石５を固着せず柄２に固着したことで、使用者は平坦な把持部３を把持して従来の蠅叩きと同じ感覚で使用することが可能でありながら、図１乃至図７に示した実施の形態と同様に設置面６１へと叩き面４１を触れさせることなくワンタッチで蠅叩き１Ｅの係脱ができるため便利である。
【００３３】
尚、この実施の形態は例えば柄２の磁石５の取付面である表面（または裏面）２１が例えば把持部３の表面（または裏面）３１ならびに叩き面４１よりも内側に位置する製品の場合にも有効に実施することができる点に特徴を有するが、柄２の磁石取付面である前記表面（または裏面）２１が前記叩き面４１よりも外側に位置するとともに前記把持部３の表面（または裏面）３１と面一か或いは外側に位置している場合には前記把持部３に磁石５を固着した図１乃至図７に示した実施の形態と同様な固着手段を用いることで本発明を実施することはいうまでもない。
【符号の説明】
【００３４】
１Ａ，１Ｂ，１Ｃ，１Ｄ，１Ｅ  蠅叩き、２  柄、３  把持部、４  叩き部、５  磁石、６  冷蔵庫の筐体壁面、７  非磁性体により形成される壁、８  保持部材、９  保持部材、２１  表面（または裏面）、３１  表面（または裏面）、３２  取付穴、３３  取付孔、４１  叩き面、５１  吸着面、６１  設置面、７１  設置面、７２  設置部材、８１  取付凹部、８２  フランジ、８３  環状溝、９１  取付凹部
【図１】
0006712856.tif 000002
【図２】
0006712856.tif 000003
【図３】
0006712856.tif 000004
【図４】
0006712856.tif 000005
【図５】
0006712856.tif 000006
【図６】
0006712856.tif 000007
【図７】
0006712856.tif 000008
【図８】
0006712856.tif 000009
【図９】
0006712856.tif 000010
【図１０】
0006712856.tif 000011